【手続補正書】
【提出日】平成18年8月3日(2006.8.3)
【手続補正１】
【補正対象書類名】明細書
【補正対象項目名】特許請求の範囲
【補正方法】変更
【補正の内容】
【特許請求の範囲】
【請求項１】  脊椎動物の胃腸管への投与のために適切な薬学的に受容可能なキャリア内にある、治療的に有効な濃度の、１つ以上の非病原性乳酸産生細菌種または非病原性乳酸産生細菌株を含む治療組成物であって、ここで、該乳酸産生細菌種または乳酸産生細菌株が、動物、または好ましくはヒトの胃腸管内において栄養材料の溶解度およびバイオアベイラビリティーを増大する能力を有する、治療組成物。
【請求項２】  前記非病原性乳酸産生細菌種または非病原性乳酸産生細菌株がＢａｃｉｌｌｕｓ細菌種であり、該Ｂａｃｉｌｌｕｓ細菌種が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；Ｂａｃｉｌｌｕｓ  ｂｒｅｖｉｓ亜種ｃｏａｇｕｌａｎｓ、Ｂａｃｉｌｌｕｓ  ｓｕｂｔｉｌｉｓ、Ｂａｃｉｌｌｕｓ  ｕｎｉｆｌａｇｅｌｌａｔｕｓ、Ｂａｃｉｌｌｕｓ  ｌａｔｅｒｏｐｓｏｒｕｓ、Ｂａｃｉｌｌｕｓ  ｌａｔｅｒｏｐｓｏｒｕｓ  ＢＯＤ、Ｂａｃｉｌｌｕｓ  ｍｅｇａｔｅｒｉｕｍ、Ｂａｃｉｌｌｕｓ  ｐｏｌｙｍｙｘａ、Ｂａｃｉｌｌｕｓ  ｌｉｃｈｅｎｉｆｏｒｍｉｓ、Ｂａｃｉｌｌｕｓ  ｐｕｍｉｌｕｓ、およびＢａｃｉｌｌｕｓ  ｓｔｅｒｏｔｈｅｒｍｏｐｈｉｌｕｓ、ならびにそれらの任意の遺伝的変異体を含む群より選択される、請求項１に記載の治療組成物。
【請求項３】  前記非病原性乳酸産生細菌種または非病原性乳酸産生細菌株がＬａｃｔｏｂａｃｉｌｌｕｓ細菌種であり、該Ｌａｃｔｏｂａｃｉｌｌｕｓ細菌種が、以下：Ｌａｃｔｏｂａｃｉｌｌｕｓ  ａｃｉｄｏｐｈｉｌｕｓ、Ｌａｃｔｏｂａｃｉｌｌｕｓ  ｃａｓｅｉ、Ｌａｃｔｏｂａｃｉｌｌｕｓ  ＤＤＳ−１、Ｌａｃｔｏｂａｃｉｌｌｕｓ  ＧＧ、Ｌａｃｔｏｂａｃｉｌｌｕｓ  ｒｈａｍｎｏｓｕｓ、Ｌａｃｔｏｂａｃｉｌｌｕｓ  ｐｌａｎｔａｒｕｍ、Ｌａｃｔｏｂａｃｉｌｌｕｓ  ｒｅｕｔｅｒｉ、Ｌａｃｔｏｂａｃｉｌｌｕｓ  ｇａｓｓｅｒｉｉ、Ｌａｃｔｏｂａｃｉｌｌｕｓ  ｊｅｎｓｅｎｉｉ、Ｌａｃｔｏｂａｃｉｌｌｕｓ  ｄｅｌｂｒｕｅｋｉｉ、Ｌａｃｔｏｂａｃｉｌｌｕｓ  ｂｕｌｇａｒｉｃｕｓ、Ｌａｃｔｏｂａｃｉｌｌｕｓ  ｓａｌｉｖａｒｉｕｓおよびＬａｃｔｏｂａｃｉｌｌｕｓ  ｓｐｏｒｏｇｅｎｅｓ（Ｂａｃｉｌｌｕｓ  ｃｏａｇｕｌａｎｓとしても示される）、ならびにそれらの任意の遺伝的変異体を含む群より選択される、請求項１に記載の治療組成物。
【請求項４】  前記非病原性乳酸産生細菌種または非病原性乳酸産生細菌株がＳｐｏｒｏｌａｃｔｏｂａｃｉｌｌｕｓ細菌種であり、該Ｓｐｏｒｏｌａｃｔｏｂａｃｉｌｌｕｓ細菌種が、以下：全てのＳｐｏｒｏｌａｃｔｏｂａｃｉｌｌｕｓ種（例えば、Ｓｐｏｒｏｌａｃｔｏｂａｃｉｌｌｕｓ  Ｐ４４）、およびそれらの任意の遺伝的変異体を含む群より選択される、請求項１に記載の治療組成物。
【請求項５】  前記非病原性乳酸産生細菌種または非病原性乳酸産生細菌株がＢｉｆｉｄｉｏｂａｃｔｅｒｉｕｍ細菌種であり、該Ｂｉｆｉｄｉｏｂａｃｔｅｒｉｕｍ細菌種が、以下：Ｂｉｆｉｄｉｏｂａｃｔｅｒｉｕｍ  ａｄｏｌｅｓｃｅｎｔｉｓ、Ｂｉｆｉｄｉｏｂａｃｔｅｒｉｕｍ  ａｎｉｍａｌｉｓ、Ｂｉｆｉｄｉｏｂａｃｔｅｒｉｕｍ  ｂｉｆｉｄｕｍ、Ｂｉｆｉｄｉｏｂａｃｔｅｒｉｕｍ  ｂｉｆｉｄｕｓ、Ｂｉｆｉｄｉｏｂａｃｔｅｒｉｕｍ  ｂｒｅｖｅ、Ｂｉｆｉｄｉｏｂａｃｔｅｒｉｕｍ  ｉｎｆａｎｔｉｓ、Ｂｉｆｉｄｉｏｂａｃｔｅｒｉｕｍ  ｉｎｆａｎｔｉｓ、Ｂｉｆｉｄｉｏｂａｃｔｅｒｉｕｍ  ｌｏｎｇｕｍ、およびそれらの任意の遺伝的変異体を含む群より選択される、請求項１に記載の治療組成物。
【請求項６】  脊椎動物の胃腸管への投与のために適切な薬学的に受容可能なキャリア内にある、治療的に有効な濃度の、１つ以上の非病原性乳酸産生細菌Ｂａｃｉｌｌｕｓ  ｃｏａｇｕｌａｎｓを含む治療組成物であって；ここで、該Ｂａｃｉｌｌｕｓ  ｃｏａｇｕｌａｎｓ細菌株が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；およびＢａｃｉｌｌｕｓ  ｂｒｅｖｉｓ亜種ｃｏａｇｕｌａｎｓ、ならびにそれらの任意の遺伝的変異体を含む群より選択され、そしてここで、該Ｂａｃｉｌｌｕｓ  ｃｏａｇｕｌａｎｓ株が、動物、または好ましくはヒトの胃腸管内において栄養材料の溶解度およびバイオアベイラビリティーを増大する能力を有する、治療組成物。
【請求項７】  前記Ｂａｃｉｌｌｕｓ  ｃｏａｇｕｌａｎｓ細菌株が、流動可能な濃縮物、安定化されたゲル、または安定化されたペースト内に含まれる乾燥細菌細胞塊からなる群より選択される形態で前記組成物中に含まれる、請求項６に記載の治療組成物。
【請求項８】  前記Ｂａｃｉｌｌｕｓ  ｃｏａｇｕｌａｎｓ細菌株が、流動可能な濃縮物、安定化されたゲル、または安定化されたペースト内に含まれる乾燥細菌芽胞塊の形態であり、該Ｂａｃｉｌｌｕｓ  ｃｏａｇｕｌａｎｓ細菌株が投与後に出芽する能力を有する、請求項６に記載の治療組成物。
【請求項９】  前記治療組成物の総投与濃度が、好ましくは１日あたり約１０ミリグラム〜約１０グラムの組成物の範囲、より好ましくは１日あたり約０．１グラム〜約５グラムの組成物の範囲、そして最も好ましくは１日あたり約０．５グラム〜約１グラムの組成物の範囲である、請求項６に記載の治療組成物。
【請求項１０】  前記治療組成物内のＢａｃｉｌｌｕｓ  ｃｏａｇｕｌａｎｓの総投与濃度が、好ましくは１日あたり約１×１０３〜約１×１０１２個の生存可能な細菌または芽胞の範囲、より好ましくは１日あたり約１×１０５〜約１×１０１０個の生存可能な細菌または芽胞の範囲、そして最も好ましくは１日あたり約２×１０７〜約１×１０１０個の生存可能な細菌または芽胞の範囲である、請求項６に記載の治療組成物。
【請求項１１】  前記治療組成物が、１つ以上のビフィドジェニック因子をさらに含む、請求項６に記載の治療組成物。
【請求項１２】  前記ビフィドジェニック因子がフルクトオリゴ糖（ＦＯＳ）であり、そしてここで、前記治療組成物内のビフィドジェニック因子の総投与濃度が、好ましくは１日あたり治療組成物１グラムあたり約１０ミリグラム〜約２０グラムの範囲、より好ましくは１日あたり治療組成物１グラムあたり約５０ミリグラム〜約１０グラムの範囲、そして最も好ましくは１日あたり治療組成物１グラムあたり約１５０ミリグラム〜約１グラムの範囲である、請求項６または１１に記載の治療組成物。
【請求項１３】  前記治療組成物の投与の生理学的位置が、頬；局所的；膣；鼻；眼；および耳の投与位置を含む群より選択される、請求項６に記載の治療組成物。
【請求項１４】  前記治療組成物が、以下：ビタミンＡ、ビタミンＤ、ビタミンＥ、ビタミンＣ、ビタミンＢ−３、ビタミンＢ−６、ビタミンＢ−１、ビタミンＢ−２、ビタミンＢ−１２、ビタミンＫ、およびパントテン酸を含む群より選択される１つ以上のビタミンをさらに含む、請求項６に記載の治療組成物。
【請求項１５】  前記治療組成物が以下の濃度範囲で１つ以上のビタミンをさらに含む、請求項６または１４に記載の治療組成物であって、そしてここで：ビタミンＡの濃度は約５０ＩＵ〜約５０，０００ＩＵの範囲、そして好ましくは約２５００ＩＵ〜約２０，０００ＩＵの範囲であり；ビタミンＤの濃度は約４ＩＵ〜約１５，０００ＩＵの範囲、そして好ましくは約５０ＩＵ〜約１２００ＩＵの範囲であり；ビタミンＥの濃度は約５ＩＵ〜約６０００ＩＵの範囲、そして好ましくは約１０ＩＵ〜約５００ＩＵの範囲であり；ビタミンＣの濃度は約１０ミリグラム〜約２５，０００ミリグラムの範囲、そして好ましくは約２０ミリグラム〜約２０００ミリグラムの範囲であり；ビタミンＢ−３の濃度は約０．２５ミリグラム〜約１２０ミリグラムの範囲、そして好ましくは約２ミリグラム〜約５０ミリグラムの範囲であり；ビタミンＢ−６の濃度は約０．２０ミリグラム〜約５０ミリグラムの範囲、そして好ましくは約０．５ミリグラム〜約１０ミリグラムの範囲であり；ビタミンＢ−１の濃度は約０．１６ミリグラム〜約１６０ミリグラムの範囲、そして好ましくは約０．３ミリグラム〜約５ミリグラムの範囲であり；ビタミンＢ−２の濃度は約０．１５ミリグラム〜約２０ミリグラムの範囲、そして好ましくは約０．５ミリグラム〜約８ミリグラムの範囲であり；ビタミンＢ−１２の濃度は約６マイクログラム〜約１２００マイクログラムの範囲、そして好ましくは約１０マイクログラム〜約３６０マイクログラムの範囲であり；ビタミンＫの濃度は約３マイクログラム〜約６００マイクログラムの範囲、そして好ましくは約７マイクログラム〜約１２０マイクログラムの範囲であり；ならびにパントテン酸の濃度は約０．１ミリグラム〜約１５０ミリグラムの範囲、そして好ましくは約３ミリグラム〜約４０ミリグラムの範囲である、治療組成物。
【請求項１６】  前記治療組成物が、以下：カルシウム、マグネシウム、リン、亜鉛、マンガン、銅、カリウム、アンチモン、バリウム、ベリリウム、ビスマス、ホウ素、臭素、クロム、コバルト、ゲルマニウム、金、ヨウ素、鉄、リチウム、ニッケル、パラジウム、白金、セレン、ケイ素、銀、ストロンチウム、スズ、チタン、タングステン、バナジウム、およびジルコニウムを含む群より選択される１つ以上のミネラルをさらに含む、請求項６に記載の治療組成物。
【請求項１７】  前記治療組成物が以下の濃度範囲で１つ以上のミネラルをさらに含む、請求項６または１６に記載の治療組成物であって、ここで：カルシウムの濃度は約１０ミリグラム〜約２５，０００ミリグラムの範囲、そして好ましくは約２５０ミリグラム〜約３０００ミリグラムの範囲であり；マグネシウムの濃度は約１５ミリグラム〜約４０００ミリグラムの範囲、そして好ましくは約１００ミリグラム〜約７５０ミリグラムの範囲であり；リンの濃度は約５０ミリグラム〜約５０００ミリグラムの範囲、そして好ましくは約１００ミリグラム〜約１０００ミリグラムの範囲であり；亜鉛の濃度は約３ミリグラム〜約１００ミリグラムの範囲、そして好ましくは約５ミリグラム〜約６０ミリグラムの範囲であり；マンガンの濃度は約０．５ミリグラム〜約５０ミリグラムの範囲、そして好ましくは約１ミリグラム〜約１５ミリグラムの範囲であり；銅の濃度は約０．１ミリグラム〜約２０ミリグラムの範囲、そして好ましくは約０．５ミリグラム〜約５ミリグラムの範囲であり；カリウムの濃度は約０．１ミリグラム〜約１００ミリグラムの範囲、そして好ましくは約２ミリグラム〜約２５ミリグラムの範囲であり；アンチモンの濃度は約０．６マイクログラム〜約６００マイクログラムの範囲、そして好ましくは約１マイクログラム〜約１８マイクログラムの範囲であり；バリウムの濃度は約０．０６マイクログラム〜約６０マイクログラムの範囲、そして好ましくは約１マイクログラム〜約６マイクログラムの範囲であり；ベリリウムの濃度は約０．００７マイクログラム〜約７マイクログラムの範囲、そして好ましくは約０．００１マイクログラム〜約０．２１マイクログラムの範囲であり；ビスマスの濃度は約０．０１５マイクログラム〜約１５０マイクログラムの範囲、そして好ましくは約０．０５マイクログラム〜約０．４５マイクログラムの範囲であり；ホウ素の濃度は約０．１マイクログラム〜約１００マイクログラムの範囲、そして好ましくは約１マイクログラム〜約３０マイクログラムの範囲であり；臭素の濃度は約０．２マイクログラム〜約２００マイクログラムの範囲、そして好ましくは約０．５マイクログラム〜約８マイクログラムの範囲であり；クロムの濃度は約０．１マイクログラム〜約１０００マイクログラムの範囲、そして好ましくは約２５マイクログラム〜約３００マイクログラムの範囲であり；コバルトの濃度は約０．１マイクログラム〜約１００マイクログラムの範囲、そして好ましくは約０．２５マイクログラム〜約５マイクログラムの範囲であり；ゲルマニウムの濃度は約１０マイクログラム〜約５０００マイクログラムの範囲、そして好ましくは約１００マイクログラム〜約１０００マイクログラムの範囲であり；金の濃度は約０．０１５マイクログラム〜約１５０マイクログラムの範囲、そして好ましくは約０．０５マイクログラム〜約１５マイクログラムの範囲であり；ヨウ素の濃度は約１０マイクログラム〜約２５００マイクログラムの範囲、そして好ましくは約５０マイクログラム〜約７５０マイクログラムの範囲であり；鉄の濃度は約１２マイクログラム〜約２５００マイクログラムの範囲、そして好ましくは約５０マイクログラム〜約５００マイクログラムの���囲であり；リチウムの濃度は約０．３マイクログラム〜約３００マイクログラムの範囲、そして好ましくは約０．５マイクログラム〜約１５マイクログラムの範囲であり；ニッケルの濃度は約０．０７マイクログラム〜約７０マイクログラムの範囲、そして好ましくは約０．１マイクログラム〜約５０マイクログラムの範囲であり；パラジウムの濃度は約０．０７マイクログラム〜約２５０マイクログラムの範囲、そして好ましくは約０．２マイクログラム〜約１５０マイクログラムの範囲であり；白金の濃度は約０．０１５マイクログラム〜約１５０マイクログラムの範囲、そして好ましくは約０．０５マイクログラム〜約１５マイクログラムの範囲であり；セレンの濃度は約０．３マイクログラム〜約３００マイクログラムの範囲、そして好ましくは約０．５マイクログラム〜約１５マイクログラムの範囲であり；ケイ素の濃度は約６マイクログラム〜約１２００マイクログラムの範囲、そして好ましくは約１０マイクログラム〜約３５０マイクログラムの範囲であり；銀の濃度は約５マイクログラム〜約１０００マイクログラムの範囲、そして好ましくは約１５マイクログラム〜約２５０マイクログラムの範囲であり；ストロンチウムの濃度は約０．４マイクログラム〜約４００マイクログラムの範囲、そして好ましくは約１マイクログラム〜約１５マイクログラムの範囲であり；スズの濃度は約０．０７マイクログラム〜約３５０マイクログラムの範囲、そして好ましくは約０．１マイクログラム〜約５マイクログラムの範囲であり；チタンの濃度は約０．３マイクログラム〜約３００マイクログラムの範囲、そして好ましくは約１マイクログラム〜約２０マイクログラムの範囲であり；タングステンの濃度は約０．０７マイクログラム〜約１００マイクログラムの範囲、そして好ましくは約０．２５マイクログラム〜約２０マイクログラムの範囲であり；バナジウムの濃度は約０．５マイクログラム〜約５００マイクログラムの範囲、そして好ましくは約１マイクログラム〜約５０マイクログラムの範囲であり；ならびにジルコニウムの濃度は約０．１マイクログラム〜約１００マイクログラムの範囲、そして好ましくは約０．２５マイクログラム〜約２０マイクログラムの範囲である、治療組成物。
【請求項１８】  前記治療組成物が、抗生物質、抗真菌剤、抗ウイルス剤、および抗酵母剤を含む群より選択される抗菌剤をさらに含む、請求項６に記載の治療組成物。
【請求項１９】  脊椎動物の胃腸管への投与のために適切な薬学的に受容可能なキャリア内にある、治療的に有効な濃度の、１つ以上の非病原性乳酸産生細菌Ｂａｃｉｌｌｕｓ  ｃｏａｇｕｌａｎｓ株の培養物由来の細胞外上清を含む、治療組成物であって；ここで、該Ｂａｃｉｌｌｕｓ  ｃｏａｇｕｌａｎｓ細菌株が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；およびＢａｃｉｌｌｕｓ  ｂｒｅｖｉｓ亜種ｃｏａｇｕｌａｎｓ、ならびにそれらの任意の遺伝的変異体を含む群より選択され、そしてここで、該Ｂａｃｉｌｌｕｓ  ｃｏａｇｕｌａｎｓ株が、動物、または好ましくはヒトの胃腸管内において栄養材料の溶解度およびバイオアベイラビリティーを増大する能力を有する、治療組成物。
【請求項２０】  動物、または好ましくはヒトの胃腸管内において栄養材料の溶解度およびバイオアベイラビリティーを増大するための組成物であって、該組成物は、脊椎動物の胃腸管への投与のために適切な薬学的に受容可能なキャリア内にある、治療的に有効な濃度の、１つ以上の非病原性乳酸産生細菌種または非病原性乳酸産生細菌株を含み、ここで、該非病原性乳酸産生細菌種または非病原性乳酸産生細菌株が、動物、または好ましくはヒトの胃腸管内において栄養材料の溶解度およびバイオアベイラビリティーを増大する能力を有する、組成物。
【請求項２１】  前記非病原性乳酸産生細菌種または非病原性乳酸産生細菌株がＢａｃｉｌｌｕｓ細菌種であり、該Ｂａｃｉｌｌｕｓ細菌種が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；Ｂａｃｉｌｌｕｓ  ｂｒｅｖｉｓ亜種ｃｏａｇｕｌａｎｓ、Ｂａｃｉｌｌｕｓ  ｓｕｂｔｉｌｉｓ、Ｂａｃｉｌｌｕｓ  ｕｎｉｆｌａｇｅｌｌａｔｕｓ、Ｂａｃｉｌｌｕｓ  ｌａｔｅｒｏｐｓｏｒｕｓ、Ｂａｃｉｌｌｕｓ  ｌａｔｅｒｏｐｓｏｒｕｓ  ＢＯＤ、Ｂａｃｉｌｌｕｓ  ｍｅｇａｔｅｒｉｕｍ、Ｂａｃｉｌｌｕｓ  ｐｏｌｙｍｙｘａ、Ｂａｃｉｌｌｕｓ  ｌｉｃｈｅｎｉｆｏｒｍｉｓ、Ｂａｃｉｌｌｕｓ  ｐｕｍｉｌｕｓ、およびＢａｃｉｌｌｕｓ  ｓｔｅｒｏｔｈｅｒｍｏｐｈｉｌｕｓ、ならびにそれらの任意の遺伝的変異体を含む群より選択される、請求項２０に記載の組成物。
【請求項２２】  前記非病原性乳酸産生細菌種または非病原性乳酸産生細菌株が、Ｌａｃｔｏｂａｃｉｌｌｕｓ細菌種であり、該Ｌａｃｔｏｂａｃｉｌｌｕｓ細菌種が、以下：Ｌａｃｔｏｂａｃｉｌｌｕｓ  ａｃｉｄｏｐｈｉｌｕｓ、Ｌａｃｔｏｂａｃｉｌｌｕｓ  ｃａｓｅｉ、Ｌａｃｔｏｂａｃｉｌｌｕｓ  ＤＤＳ−１、Ｌａｃｔｏｂａｃｉｌｌｕｓ  ＧＧ、Ｌａｃｔｏｂａｃｉｌｌｕｓ  ｒｈａｍｎｏｓｕｓ、Ｌａｃｔｏｂａｃｉｌｌｕｓ  ｐｌａｎｔａｒｕｍ、Ｌａｃｔｏｂａｃｉｌｌｕｓ  ｒｅｕｔｅｒｉ、Ｌａｃｔｏｂａｃｉｌｌｕｓ  ｇａｓｓｅｒｉｉ、Ｌａｃｔｏｂａｃｉｌｌｕｓ  ｊｅｎｓｅｎｉｉ、Ｌａｃｔｏｂａｃｉｌｌｕｓ  ｄｅｌｂｒｕｅｋｉｉ、Ｌａｃｔｏｂａｃｉｌｌｕｓ  ｂｕｌｇａｒｉｃｕｓ、Ｌａｃｔｏｂａｃｉｌｌｕｓ  ｓａｌｉｖａｒｉｕｓおよびＬａｃｔｏｂａｃｉｌｌｕｓ  ｓｐｏｒｏｇｅｎｅｓ（Ｂａｃｉｌｌｕｓ  ｃｏａｇｕｌａｎｓとしても示される）、ならびにそれらの任意の遺伝的変異体を含む群より選択される、請求項２０に記載の組成物。
【請求項２３】  前記非病原性乳酸産生細菌種または非病原性乳酸産生細菌株がＳｐｏｒｏｌａｃｔｏｂａｃｉｌｌｕｓ細菌種であり、該Ｓｐｏｒｏｌａｃｔｏｂａｃｉｌｌｕｓ細菌種が、以下：全てのＳｐｏｒｏｌａｃｔｏｂａｃｉｌｌｕｓ種（例えば、Ｓｐｏｒｏｌａｃｔｏｂａｃｉｌｌｕｓ  Ｐ４４）、およびそれらの任意の遺伝的変異体を含む群より選択される、請求項２０に記載の組成物。
【請求項２４】  前記非病原性乳酸産生細菌種または非病原性乳酸産生細菌株がＢｉｆｉｄｉｏｂａｃｔｅｒｉｕｍ細菌種であり、該Ｂｉｆｉｄｉｏｂａｃｔｅｒｉｕｍ細菌種が、以下：Ｂｉｆｉｄｉｏｂａｃｔｅｒｉｕｍ  ａｄｏｌｅｓｃｅｎｔｉｓ、Ｂｉｆｉｄｉｏｂａｃｔｅｒｉｕｍ  ａｎｉｍａｌｉｓ、Ｂｉｆｉｄｉｏｂａｃｔｅｒｉｕｍ  ｂｉｆｉｄｕｍ、Ｂｉｆｉｄｉｏｂａｃｔｅｒｉｕｍ  ｂｉｆｉｄｕｓ、Ｂｉｆｉｄｉｏｂａｃｔｅｒｉｕｍ  ｂｒｅｖｅ、Ｂｉｆｉｄｉｏｂａｃｔｅｒｉｕｍ  ｉｎｆａｎｔｉｓ、Ｂｉｆｉｄｉｏｂａｃｔｅｒｉｕｍ  ｉｎｆａｎｔｉｓ、Ｂｉｆｉｄｉｏｂａｃｔｅｒｉｕｍ  ｌｏｎｇｕｍ、およびそれらの任意の遺伝的変異体を含む群より選択される、請求項２０に記載の組成物。
【請求項２５】  動物、または好ましくはヒトの胃腸管内において栄養材料の溶解度およびバイオアベイラビリティーを増大するための組成物であって、該組成物は、治療的に有効な濃度の、脊椎動物の胃腸管への投与のために適切な薬学的に受容可能なキャリア内にある、１つ以上の非病原性乳酸産生細菌Ｂａｃｉｌｌｕｓ  ｃｏａｇｕｌａｎｓ株を含み；ここで、該Ｂａｃｉｌｌｕｓ  ｃｏａｇｕｌａｎｓ細菌株が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；およびＢａｃｉｌｌｕｓ  ｂｒｅｖｉｓ亜種ｃｏａｇｕｌａｎｓ、ならびにそれらの任意の遺伝的変異体を含む群より選択され、そしてここで、該Ｂａｃｉｌｌｕｓ  ｃｏａｇｕｌａｎｓ株が、動物、または好ましくはヒトの胃腸管内において栄養材料の溶解度およびバイオアベイラビリティーを増大する能力を有する、組成物。
【請求項２６】  前記Ｂａｃｉｌｌｕｓ  ｃｏａｇｕｌａｎｓ細菌株が、流動可能な濃縮物、安定化されたゲル、または安定化されたペースト内に含まれる乾燥細菌細胞塊からなる群より選択される形態で前記組成物中に含まれる、請求項２５に記載の組成物。
【請求項２７】  前記Ｂａｃｉｌｌｕｓ  ｃｏａｇｕｌａｎｓ細菌株が、流動可能な濃縮物、安定化されたゲル、または安定化されたペースト内に含まれる乾燥細菌芽胞塊の形態であり、該Ｂａｃｉｌｌｕｓ  ｃｏａｇｕｌａｎｓ細菌株が投与後に出芽する能力を有する、請求項２５に記載の組成物。
【請求項２８】  前記治療組成物の総投与濃度が、好ましくは１日あたり約１０ミリグラム〜約１０グラムの組成物の範囲、より好ましくは１日あたり約０．１グラム〜約５グラムの組成物の範囲、そして最も好ましくは１日あたり約０．５グラム〜約１グラムの組成物の範囲である、請求項２５に記載の組成物。
【請求項２９】  前記治療組成物内のＢａｃｉｌｌｕｓ  ｃｏａｇｕｌａｎｓの総投与濃度が、好ましくは１日あたり約１×１０３〜約１×１０１２個の生存可能な細菌または芽胞の範囲、より好ましくは１日あたり約１×１０５〜約１×１０１０個の生存可能な細菌または芽胞の範囲、そして最も好ましくは１日あたり約２×１０７〜約１×１０１０個の生存可能な細菌または芽胞の範囲である、請求項２５に記載の組成物。
【請求項３０】  前記治療組成物が、１つ以上のビフィドジェニック因子をさらに含む、請求項２５に記載の組成物。
【請求項３１】  前記ビフィドジェニック因子がフルクトオリゴ糖（ＦＯＳ）であり、そしてここで、前記治療組成物内のビフィドジェニック因子の総投与濃度が、好ましくは１日あたり治療組成物１グラムあたり約１０ミリグラム〜約２０グラムの範囲、より好ましくは１日あたり治療組成物１グラムあたり約５０ミリグラム〜約１０グラムの範囲、そして最も好ましくは１日あたり治療組成物１グラムあたり約１５０ミリグラム〜約１グラムの範囲である、請求項２５または３０に記載の組成物。
【請求項３２】  前記治療組成物の投与の生理学的位置が、頬；局所的；膣；鼻；眼；および耳の投与位置を含む群より選択される、請求項２５に記載の組成物。
【請求項３３】  前記治療組成物が、以下：ビタミンＡ、ビタミンＤ、ビタミンＥ、ビタミンＣ、ビタミンＢ−３、ビタミンＢ−６、ビタミンＢ−１、ビタミンＢ−２、ビタミンＢ−１２、ビタミンＫ、およびパントテン酸を含む群より選択される１つ以上のビタミンをさらに含む、請求項２５に記載の組成物。
【請求項３４】  前記治療組成物が以下の濃度範囲で１つ以上のビタミンをさらに含む、請求項２５または３３に記載の方法であって、ここで：ビタミンＡの濃度は約５０ＩＵ〜約５０，０００ＩＵの範囲、そして好ましくは約２５００ＩＵ〜約２０，０００ＩＵの範囲であり；ビタミンＤの濃度は約４ＩＵ〜約１５，０００ＩＵの範囲、そして好ましくは約５０ＩＵ〜約１２００ＩＵの範囲であり；ビタミンＥの濃度は約５ＩＵ〜約６０００ＩＵの範囲、そして好ましくは約１０ＩＵ〜約５００ＩＵの範囲であり；ビタミンＣの濃度は約１０ミリグラム〜約２５，０００ミリグラムの範囲、そして好ましくは約２０ミリグラム〜約２０００ミリグラムの範囲であり；ビタミンＢ−３の濃度は約０．２５ミリグラム〜約１２０ミリグラムの範囲、そして好ましくは約２ミリグラム〜約５０ミリグラムの範囲であり；ビタミンＢ−６の濃度は約０．２０ミリグラム〜約５０ミリグラムの範囲、そして好ましくは約０．５ミリグラム〜約１０ミリグラムの範囲であり；ビタミンＢ−１の濃度は約０．１６ミリグラム〜約１６０ミリグラムの範囲、そして好ましくは約０．３ミリグラム〜約５ミリグラムの範囲であり；ビタミンＢ−２の濃度は約０．１５ミリグラム〜約２０ミリグラムの範囲、そして好ましくは約０．５ミリグラム〜約８ミリグラムの範囲であり；ビタミンＢ−１２の濃度は約６マイクログラム〜約１２００マイクログラムの範囲、そして好ましくは約１０マイクログラム〜約３６０マイクログラムの範囲であり；ビタミンＫの濃度は約３マイクログラム〜約６００マイクログラムの範囲、そして好ましくは約７マイクログラム〜約１２０マイクログラムの範囲であり；ならびにパントテン酸の濃度は約０．１ミリグラム〜約１５０ミリグラムの範囲、そして好ましくは約３ミリグラム〜約４０ミリグラムの範囲である、組成物。
【請求項３５】  前記治療組成物が、以下：カルシウム、マグネシウム、リン、亜鉛、マンガン、銅、カリウム、アンチモン、バリウム、ベリリウム、ビスマス、ホウ素、臭素、クロム、コバルト、ゲルマニウム、金、ヨウ素、鉄、リチウム、ニッケル、パラジウム、白金、セレン、ケイ素、銀、ストロンチウム、スズ、チタン、タングステン、バナジウム、およびジルコニウムを含む群より選択される１つ以上のミネラルをさらに含む、請求項２５に記載の組成物。
【請求項３６】  前記治療組成物が以下の濃度範囲で１つ以上のミネラルをさらに含む、請求項２５または３５に記載の方法であって、ここで：カルシウムの濃度は約１０ミリグラム〜約２５，０００ミリグラムの範囲、そして好ましくは約２５０ミリグラム〜約３０００ミリグラムの範囲であり；マグネシウムの濃度は約１５ミリグラム〜約４０００ミリグラムの範囲、そして好ましくは約１００ミリグラム〜約７５０ミリグラムの範囲であり；リンの濃度は約５０ミリグラム〜約５０００ミリグラムの範囲、そして好ましくは約１００ミリグラム〜約１０００ミリグラムの範囲であり；亜鉛の濃度は約３ミリグラム〜約１００ミリグラムの範囲、そして好ましくは約５ミリグラム〜約６０ミリグラムの範囲であり；マンガンの濃度は約０．５ミリグラム〜約５０ミリグラムの範囲、そして好ましくは約１ミリグラム〜約１５ミリグラムの範囲であり；銅の濃度は約０．１ミリグラム〜約２０ミリグラムの範囲、そして好ましくは約０．５ミリグラム〜約５ミリグラムの範囲であり；カリウムの濃度は約０．１ミリグラム〜約１００ミリグラムの範囲、そして好ましくは約２ミリグラム〜約２５ミリグラムの範囲であり；アンチモンの濃度は約０．６マイクログラム〜約６００マイクログラムの範囲、そして好ましくは約１マイクログラム〜約１８マイクログラムの範囲であり；バリウムの濃度は約０．０６マイクログラム〜約６０マイクログラムの範囲、そして好ましくは約１マイクログラム〜約６マイクログラムの範囲であり；ベリリウムの濃度は約０．００７マイクログラム〜約７マイクログラムの範囲、そして好ましくは約０．００１マイクログラム〜約０．２１マイクログラムの範囲であり；ビスマスの濃度は約０．０１５マイクログラム〜約１５０マイクログラムの範囲、そして好ましくは約０．０５マイクログラム〜約０．４５マイクログラムの範囲であり；ホウ素の濃度は約０．１マイクログラム〜約１００マイクログラムの範囲、そして好ましくは約１マイクログラム〜約３０マイクログラムの範囲であり；臭素の濃度は約０．２マイクログラム〜約２００マイクログラムの範囲、そして好ましくは約０．５マイクログラム〜約８マイクログラムの範囲であり；クロムの濃度は約０．１マイクログラム〜約１０００マイクログラムの範囲、そして好ましくは約２５マイクログラム〜約３００マイクログラムの範囲であり；コバルトの濃度は約０．１マイクログラム〜約１００マイクログラムの範囲、そして好ましくは約０．２５マイクログラム〜約５マイクログラムの範囲であり；ゲルマニウムの濃度は約１０マイクログラム〜約５０００マイクログラムの範囲、そして好ましくは約１００マイクログラム〜約１０００マイクログラムの範囲であり；金の濃度は約０．０１５マイクログラム〜約１５０マイクログラムの範囲、そして好ましくは約０．０５マイクログラム〜約１５マイクログラムの範囲であり；ヨウ素の濃度は約１０マイクログラム〜約２５００マイクログラムの範囲であり、そして好ましくは５０マイクログラム〜約７５０マイクログラムの範囲であり；鉄の濃度は約１２マイクログラム〜約２５００マイクログラムの範囲、そして好ましくは約５０マイクログラム〜約５００マイクログラムの���囲であり；リチウムの濃度は約０．３マイクログラム〜約３００マイクログラムの範囲、そして好ましくは約０．５マイクログラム〜約１５マイクログラムの範囲であり；ニッケルの濃度は約０．０７マイクログラム〜約７０マイクログラムの範囲、そして好ましくは約０．１マイクログラム〜約５０マイクログラムの範囲であり；パラジウムの濃度は約０．０７マイクログラム〜約２５０マイクログラムの範囲、そして好ましくは約０．２マイクログラム〜約１５０マイクログラムの範囲であり；白金の濃度は約０．０１５マイクログラム〜約１５０マイクログラムの範囲、そして好ましくは約０．０５マイクログラム〜約１５マイクログラムの範囲であり；セレンの濃度は約０．３マイクログラム〜約３００マイクログラムの範囲、そして好ましくは約０．５マイクログラム〜約１５マイクログラムの範囲であり；ケイ素の濃度は約６マイクログラム〜約１２００マイクログラムの範囲、そして好ましくは約１０マイクログラム〜約３５０マイクログラムの範囲であり；銀の濃度は約５マイクログラム〜約１０００マイクログラムの範囲、そして好ましくは約１５マイクログラム〜約２５０マイクログラムの範囲であり；ストロンチウムの濃度は約０．４マイクログラム〜約４００マイクログラムの範囲、そして好ましくは約１マイクログラム〜約１５マイクログラムの範囲であり；スズの濃度は約０．０７マイクログラム〜約３５０マイクログラムの範囲、そして好ましくは約０．１マイクログラム〜約５マイクログラムの範囲であり；チタンの濃度は約０．３マイクログラム〜約３００マイクログラムの範囲、そして好ましくは約１マイクログラム〜約２０マイクログラムの範囲であり；タングステンの濃度は約０．０７マイクログラム〜約１００マイクログラムの範囲、そして好ましくは約０．２５マイクログラム〜約２０マイクログラムの範囲であり；バナジウムの濃度は約０．５マイクログラム〜約５００マイクログラムの範囲、そして好ましくは約１マイクログラム〜約５０マイクログラムの範囲であり；ならびにジルコニウムの濃度は約０．１マイクログラム〜約１００マイクログラムの範囲、そして好ましくは約０．２５マイクログラム〜約２０マイクログラムの範囲である、組成物。
【請求項３７】  前記治療組成物が、抗生物質、抗真菌剤、抗ウイルス剤、および抗酵母剤を含む群より選択される抗菌剤をさらに含む、請求項２５に記載の組成物。
【請求項３８】  動物、または好ましくはヒトの胃腸管内において栄養材料の溶解度およびバイオアベイラビリティーを増大するための組成物であって、該組成物は、脊椎動物の胃腸管への投与のために適切な薬学的に受容可能なキャリア内にある、治療的に有効な濃度の、１つ以上の非病原性乳酸産生細菌Ｂａｃｉｌｌｕｓ  ｃｏａｇｕｌａｎｓ株の培養物由来の細胞外上清を含み；ここで、該Ｂａｃｉｌｌｕｓ  ｃｏａｇｕｌａｎｓ細菌株が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；およびＢａｃｉｌｌｕｓ  ｂｒｅｖｉｓ亜種ｃｏａｇｕｌａｎｓ、ならびにそれらの任意の遺伝的変異体を含む群より選択され、そしてここで、該Ｂａｃｉｌｌｕｓ  ｃｏａｇｕｌａｎｓ株が、動物、または好ましくはヒトの胃腸管内において栄養材料の溶解度およびバイオアベイラビリティーを増大する能力を有する、組成物。
【請求項３９】  脊椎動物の胃腸管への経口投与のために適切な薬学的に受容可能なキャリア内にある１つ以上のＢａｃｉｌｌｕｓ細菌種またはＢａｃｉｌｌｕｓ細菌株を含む、治療組成物であって、ここで該Ｂａｃｉｌｌｕｓ  ｃｏａｇｕｌａｎｓ細菌株が、約３０℃〜約６５℃の温度で増殖し得、Ｌ（＋）右旋性乳酸を産生し、約９０℃までの温度に対して芽胞耐性を生じ、そして動物、または好ましくはヒトの胃腸管内において栄養材料の溶解度およびバイオアベイラビリティーを増大する共生活性を示す、治療組成物。
【請求項４０】  前記共生活性が、Ｂａｃｉｌｌｕｓ細菌種またはＢａｃｉｌｌｕｓ細菌株の栄養性増殖から生じる、請求項３９に記載の治療組成物。
【請求項４１】  前記共生活性が、単離されたＢａｃｉｌｌｕｓ細菌種またはＢａｃｉｌｌｕｓ細菌株によって産生された細胞外産物から生じる、請求項３９に記載の治療組成物。
【請求項４２】  動物、または好ましくはヒトの胃腸管内においてビタミンおよびミネラルの溶解度およびバイオアベイラビリティーを増大するための組成物であって、脊椎動物の胃腸管への経口投与のために適切な薬学的に受容可能なキャリア内にある、治療的に有効な濃度の、１つ以上のＢａｃｉｌｌｕｓ細菌種またはＢａｃｉｌｌｕｓ細菌株を含み、ここで該Ｂａｃｉｌｌｕｓ  ｃｏａｇｕｌａｎｓ細菌株が、約３０℃〜約６５℃の温度で増殖し得、Ｌ（＋）右旋性乳酸を産生し、約９０℃までの温度に対して芽胞耐性を生じ、そして動物、または好ましくはヒトの胃腸管内において栄養材料の溶解度およびバイオアベイラビリティーを増大する共生活性を示す、組成物。
【請求項４３】  前記共生活性が、Ｂａｃｉｌｌｕｓ細菌種またはＢａｃｉｌｌｕｓ細菌株の栄養性増殖から生じる、請求項４２に記載の組成物。
【請求項４４】  前記共生活性が、単離されたＢａｃｉｌｌｕｓ細菌種またはＢａｃｉｌｌｕｓ細菌株によって産生された細胞外産物から生じる、請求項４２に記載の組成物。
【請求項４５】  脊椎動物の胃腸管への投与のために適切な栄養的に受容可能なキャリア内にある、１つ以上の非病原性乳酸産生細菌Ｂａｃｉｌｌｕｓ  ｃｏａｇｕｌａｎｓ株、または該１つ以上の非病原性乳酸産生細菌Ｂａｃｉｌｌｕｓ  ｃｏａｇｕｌａｎｓ株の培養物由来の細胞外上清の、該動物の胃腸管内において栄養性ミネラルの溶解度およびバイオアベイラビリティーを増大するための栄養組成物としての、非治療的な使用。
【請求項４６】  前記１つ以上のＢａｃｉｌｌｕｓ  ｃｏａｇｕｌａｎｓ株が、Ｂａｃｉｌｌｕｓ  ｃｏａｇｕｌａｎｓ、Ｂａｃｉｌｌｕｓ  ｃｏａｇｕｌａｎｓ  Ｈａｍｍｅｒ、Ｂａｃｉｌｌｕｓ  ｂｒｅｖｉｓ亜種ｃｏａｇｕｌａｎｓおよびそれらの任意の遺伝的変異体からなる群より選択される、請求項４５に記載の使用。
【請求項４７】  前記栄養性ミネラルが、グルコン酸塩またはクエン酸塩の形態で存在する、請求項４５または４６に記載の使用。
【請求項４８】  前記栄養組成物が、１つ以上のグルコン酸塩またはクエン酸塩の形態のミネラルを、さらに含む、請求項４５または４６に記載の使用。
【請求項４９】  前記ミネラルが、カルシウム、マグネシウム、リン、亜鉛、マンガン、銅、カリウム、アンチモン、バリウム、ベリリウム、ビスマス、ホウ素、臭素、クロム、コバルト、ゲルマニウム、金、ヨウ素、鉄、リチウム、ニッケル、パラジウム、白金、セレン、ケイ素、銀、ストロンチウム、スズ、チタン、タングステン、バナジウムおよびジルコニウムからなる群より選択される、請求項４５〜４８のいずれかに記載の使用。
【請求項５０】  前記ミネラルが、クエン酸カルシウム、グルコン酸カリウムおよびクエン酸マグネシウムから選択される、請求項４５〜４９のいずれかに記載の使用。
【請求項５１】  前記ミネラルが、ピコリン酸クロムをさらに含む、請求項４５〜５０のいずれかに記載の使用。
【請求項５２】  前記Ｂａｃｉｌｌｕｓ  ｃｏａｇｕｌａｎｓ細菌株が、流動可能な濃縮物、安定化されたゲル、または安定化されたペースト内に含まれる乾燥細菌細胞塊からなる群より選択される形態で前記組成物中に含まれる、請求項４５〜５１のいずれかに記載の使用。
【請求項５３】  前記Ｂａｃｉｌｌｕｓ  ｃｏａｇｕｌａｎｓ細菌株が、流動可能な濃縮物、安定化されたゲル、または安定化されたペースト内に含まれる乾燥細菌芽胞塊の形態であり、該Ｂａｃｉｌｌｕｓ  ｃｏａｇｕｌａｎｓ細菌株が投与後に出芽する能力を有する、請求項４５〜５１のいずれかに記載の使用。
【請求項５４】  前記栄養組成物の総投与濃度が、１日あたり１０ミリグラム〜１０グラムの組成物の範囲である、請求項４５〜５３のいずれかに記載の使用。
【請求項５５】  前記栄養組成物内のＢａｃｉｌｌｕｓ  ｃｏａｇｕｌａｎｓの総投与濃度が、１日あたり約１×１０３〜約１×１０１２個の生存可能な細菌または芽胞の範囲である、請求項４５〜５４のいずれかに記載の使用。
【請求項５６】  前記栄養組成物が、１つ以上のビフィドジェニック因子をさらに含む、請求項４５〜５５のいずれかに記載の使用。
【請求項５７】  前記１つ以上のビフィドジェニック因子がフルクトオリゴ糖（ＦＯＳ）を含み、そしてここで、前記栄養組成物内の１つ以上のビフィドジェニック因子の総投与濃度が、１日あたり栄養組成物１グラムあたり１０ミリグラム〜２０グラムの範囲である、請求項５６に記載の使用。
【請求項５８】  前記栄養組成物の投与の生理学的位置が、頬；局所的；膣；鼻；眼；および耳の投与位置からなる群より選択される、請求項４５〜５７のいずれかに記載の使用。
【請求項５９】  前記栄養組成物が、以下：ビタミンＡ、ビタミンＤ、ビタミンＥ、ビタミンＣ、ビタミンＢ−３、ビタミンＢ−６、ビタミンＢ−１、ビタミンＢ−２、ビタミンＢ−１２、ビタミンＫおよびパントテン酸からなる群より選択される１つ以上のビタミンをさらに含む、請求項４５〜５８のいずれかに記載の使用。
【請求項６０】  前記栄養組成物が該組成物１グラムあたり、以下の濃度範囲で１つ以上のビタミンをさらに含む、請求項４５〜５９のいずれかに記載の使用であって、そしてここで：
ビタミン            濃度範囲（１グラムあたり）
Ａ                ５０ＩＵ〜５０，０００ＩＵ
Ｄ                  ４ＩＵ〜ｌ５，０００ＩＵ
Ｅ                  ５ＩＵ〜  ６，０００ＩＵ
Ｃ                １０ｍｇ〜２５，０００ｍｇ
Ｂ−３        ０．２５ｍｇ〜      １２０ｍｇ
Ｂ−６        ０．２０ｍｇ〜        ５０ｍｇ
Ｂ−１        ０．１６ｍｇ〜      ｌ６０ｍｇ
Ｂ−２        ０．１５ｍｇ〜        ２０ｍｇ
Ｂ−１２            ６μｇ〜      １．２ｍｇ
Ｋ                  ３μｇ〜      ６００μｇ
パントテン酸    ０．１ｍｇ〜      １５０ｍｇ
である、使用。
【請求項６１】  前記ミネラルが、前記組成物１グラムあたり、ミリグラムまたはマイクログラム単位で、以下の濃度範囲で１つ以上のミネラルを含む、請求項４５〜６０のいずれかに記載の使用であって、そしてここで：
ミネラル            濃度範囲（１グラムあたり）
カルシウム          １０ｍｇ〜２５，０００ｍｇ
マグネシウム        １５ｍｇ〜  ４，０００ｍｇ
リン                ５０ｍｇ〜  ５，０００ｍｇ
亜鉛                  ３ｍｇ〜      １００ｍｇ
マンガン          ０．５ｍｇ〜        ５０ｍｇ
銅                ０．１ｍｇ〜        ２０ｍｇ
カリウム          ０．１ｍｇ〜      １００ｍｇ
アンチモン        ０．６ｍｇ〜      ６００ｍｇ
バリウム        ０．０６ｍｇ〜        ６０ｍｇ
ベリリウム    ０．００７μｇ〜          ７μｇ
ビスマス      ０．０１５μｇ〜      １５０μｇ
ホウ素            ０．１μｇ〜      １００μｇ
臭素              ０．２μｇ〜      ２００μｇ
クロム            ０．１μｇ〜    １０００μｇ
コバルト          ０．１μｇ〜      １００μｇ
ゲルマニウム        １０μｇ〜    ５０００μｇ
金            ０．０１５μｇ〜      １５０μｇ
ヨウ素              １０μｇ〜    ２５００μｇ
鉄                  １２μｇ〜    ２５００μｇ
リチウム          ０．３μｇ〜      ３００μｇ
ニッケル        ０．０７μｇ〜        ７０μｇ
パラジウム      ０．０７μｇ〜      ２５０μｇ
白金          ０．０１５μｇ〜      １５０μｇ
セレン            ０．３μｇ〜      ３００μｇ
ケイ素                ６μｇ〜    １２００μｇ
銀                    ５μｇ〜    １０００μｇ
ストロンチウム    ０．４μｇ〜      ４００μｇ
スズ            ０．０７μｇ〜      ３５０μｇ
チタン            ０．３μｇ〜      ３００μｇ
タングステン    ０．０７μｇ〜      １００μｇ
バナジウム        ０．５μｇ〜      ５００μｇ
ジルコニウム      ０．１μｇ〜      １００μｇ
である、使用。
【請求項６２】  前記栄養組成物が、カシェ剤、カプセルまたは錠剤の形態である、請求項４５〜６１のいずれかに記載の使用。
【請求項６３】  脊椎動物の胃腸管への投与のために適切な薬学的または栄養的に受容可能なキャリア内にある、治療的に有効な濃度の、１つ以上の非病原性乳酸産生細菌Ｂａｃｉｌｌｕｓ  ｃｏａｇｕｌａｎｓ株、または該１つ以上のＢａｃｉｌｌｕｓ  ｃｏａｇｕｌａｎｓ細菌株もしくはＢａｃｉｌｌｕｓ  ｃｏａｇｕｌａｎｓ細菌種の培養物由来の細胞外上清と、クエン酸カリウム、クエン酸マグネシウムおよびグルコン酸形態のミネラルからなる群より選択される栄養ミネラルとを含む、薬学的組成物または栄養組成物であって；ここで、該乳酸産生細菌種または乳酸産生細菌株が、動物の胃腸管内において該ミネラルの溶解度およびバイオアベイラビリティーを増大する能力を有する、組成物。
【請求項６４】  前記１つ以上のＢａｃｉｌｌｕｓ  ｃｏａｇｕｌａｎｓ細菌株が、Ｂａｃｉｌｌｕｓ  ｃｏａｇｕｌａｎｓ、Ｂａｃｉｌｌｕｓ  ｃｏａｇｕｌａｎｓ  Ｈａｍｍｅｒ、Ｂａｃｉｌｌｕｓ  ｂｒｅｖｉｓ亜種ｃｏａｇｕｌａｎｓ、およびそれらの任意の遺伝的変異体からなる群より選択される、請求項６３に記載の組成物。
【請求項６５】  ピコリン酸クロムをさらに含む、請求項６３または６４に記載の組成物。
【請求項６６】  脊椎動物における乳糖不耐症を処置するための、該脊椎動物の胃腸管への投与のための組成物の製造における、非病原性乳酸産生細菌種または非病原性乳酸産生細菌株の使用。
【請求項６７】  前記細菌種または細菌株が、Ｂａｃｉｌｌｕｓ  ｃｏａｇｕｌａｎｓである、請求項６６に記載の使用。
【請求項６８】  前記Ｂａｃｉｌｌｕｓ  ｃｏａｇｕｌａｎｓが、Ｂａｃｉｌｌｕｓ  ｃｏａｇｕｌａｎｓ、Ｂａｃｉｌｌｕｓ  ｃｏａｇｕｌａｎｓ  ＨａｍｍｅｒおよびＢａｃｉｌｌｕｓ  ｂｒｅｖｉｓ亜種ｃｏａｇｕｌａｎｓ、ならびにそれらの任意の遺伝的変異体から選択される、請求項６７に記載の使用。
【請求項６９】  前記Ｂａｃｉｌｌｕｓ  ｃｏａｇｕｌａｎｓが、流動可能な濃縮物、安定化されたゲル、または安定化されたペースト内に含まれる乾燥細菌細胞塊として、前記組成物中に含まれる、請求項６７または６８に記載の使用。
【請求項７０】  前記Ｂａｃｉｌｌｕｓ  ｃｏａｇｕｌａｎｓが、流動可能な濃縮物、安定化されたゲル、または安定化されたペースト内に含まれる乾燥細菌細胞塊の形態で使用され、該細胞塊が投与後に出芽する能力を有する、請求項６７または６８に記載の使用。
【請求項７１】  前記組成物の総投与濃度が、１日あたり１０ミリグラム〜１０グラムの組成物の範囲である、請求項６７〜７０のいずれかに記載の使用。
【請求項７２】  前記組成物内のＢａｃｉｌｌｕｓ  ｃｏａｇｕｌａｎｓの総投与濃度が、１日あたり１×１０３〜１×１０１２個の生存可能な細菌または芽胞の範囲である、請求項６７〜７１のいずれかに記載の使用。
【請求項７３】  前記組成物が、１つ以上のビフィドジェニック因子をさらに含む、請求項６７〜７２のいずれかに記載の使用。
【請求項７４】  前記１つ以上のビフィドジェニック因子がフルクトオリゴ糖を含み、そしてここで、前記組成物内の１つ以上のビフィドジェニック因子の総投与濃度が、１日あたり組成物１グラムあたり１０ミリグラム〜２０グラムの範囲である、請求項７３に記載の使用。
【請求項７５】  前記組成物が、カシェ剤、カプセルまたは錠剤の形態である、請求項４５〜６２、６６〜７４のいずれかに記載の使用。
【請求項７６】  前記組成物が、カシェ剤、カプセルまたは錠剤の形態である、請求項６３〜６５のいずれかに記載の組成物。
【請求項７７】  乳糖不耐症を罹患する動物の胃腸管内において栄養材料の溶解度およびバイオアベイラビリティーを増大するための組成物であって、該組成物は、脊椎動物の胃腸管への投与のために適切な薬学的に受容可能なキャリア内にある、治療的に有効な濃度の、１つ以上の非病原性乳酸産生細菌Ｂａｃｉｌｌｕｓ  ｃｏａｇｕｌａｎｓ株および補助的なラクターゼを含み、ここで、該Ｂａｃｉｌｌｕｓ  ｃｏａｇｕｌａｎｓ細菌株は、Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；およびＢａｃｉｌｌｕｓ  ｂｒｅｖｉｓ亜種ｃｏａｇｕｌａｎｓ、ならびにそれらの任意の遺伝的変異体を含む群より選択され、該Ｂａｃｉｌｌｕｓ  ｃｏａｇｕｌａｎｓが、該動物の胃腸管内において栄養材料の溶解度およびバイオアベイラビリティーを増大する、組成物。
【請求項７８】  前記Ｂａｃｉｌｌｕｓ  ｃｏａｇｕｌａｎｓ細菌株が、流動可能な濃縮物、安定化されたゲル、または安定化されたペースト内に含まれる乾燥細菌細胞塊からなる群より選択される形態で前記組成物中に含まれる、請求項７７に記載の組成物。
【請求項７９】  前記Ｂａｃｉｌｌｕｓ  ｃｏａｇｕｌａｎｓ細菌株が、流動可能な濃縮物、安定化されたゲル、または安定化されたペースト内に含まれる乾燥細菌芽胞塊の形態であり、該Ｂａｃｉｌｌｕｓ  ｃｏａｇｕｌａｎｓ細菌株が投与後に出芽する能力を有する、請求項７７に記載の組成物。
【請求項８０】  前記治療組成物の総投与濃度が、好ましくは１日あたり約１０ミリグラム〜約１０グラムの組成物の範囲、より好ましくは１日あたり約０．１グラム〜約５グラムの組成物の範囲、そして最も好ましくは１日あたり約０．５グラム〜約１グラムの組成物の範囲である、請求項７７〜７９のいずれか１項に記載の組成物。
【請求項８１】  前記治療組成物内のＢａｃｉｌｌｕｓ  ｃｏａｇｕｌａｎｓの総投与濃度が、好ましくは１日あたり約１×１０３〜約１×１０１２個の生存可能な細菌または芽胞の範囲、より好ましくは１日あたり約１×１０５〜約１×１０１０個の生存可能な細菌または芽胞の範囲、そして最も好ましくは１日あたり約２×１０７〜約１×１０１０個の生存可能な細菌または芽胞の範囲である、請求項７７〜７９のいずれか１項に記載の組成物。
【請求項８２】  前記治療組成物が、１つ以上のビフィドジェニック因子をさらに含む、請求項７７〜８１のいずれか１項に記載の組成物。
【請求項８３】  前記ビフィドジェニック因子がフルクトオリゴ糖（ＦＯＳ）であり、そしてここで、前記治療組成物内のビフィドジェニック因子の総投与濃度が、好ましくは１日あたり治療組成物１グラムあたり約１０ミリグラム〜約２０グラムの範囲、より好ましくは１日あたり治療組成物１グラムあたり約５０ミリグラム〜約１０グラムの範囲、そして最も好ましくは１日あたり治療組成物１グラムあたり約１５０ミリグラム〜約１グラムの範囲である、請求項７７または８２に記載の組成物。
【請求項８４】  前記治療組成物の投与の生理学的位置が、頬；局所的；膣；鼻；眼；および耳の投与位置を含む群より選択される、請求項７７〜８３のいずれか１項に記載の組成物。
【請求項８５】  前記治療組成物が、以下：ビタミンＡ、ビタミンＤ、ビタミンＥ、ビタミンＣ、ビタミンＢ−３、ビタミンＢ−６、ビタミンＢ−１、ビタミンＢ−２、ビタミンＢ−１２、ビタミンＫ、およびパントテン酸を含む群より選択される１つ以上のビタミンをさらに含む、請求項７７〜８４のいずれか１項に記載の組成物。
【請求項８６】  前記治療組成物が以下の濃度範囲で１つ以上のビタミンをさらに含む、請求項７７または８５に記載の組成物であって、ここで：ビタミンＡの濃度は、約５０ＩＵ〜約５０，０００ＩＵの範囲、そして好ましくは約２５００ＩＵ〜約２０，０００ＩＵの範囲であり；ビタミンＤの濃度は、約４ＩＵ〜約１５，０００ＩＵの範囲、そして好ましくは約５０ＩＵ〜約１２００ＩＵの範囲であり；ビタミンＥの濃度は、約５ＩＵ〜約６０００ＩＵの範囲、そして好ましくは約１０ＩＵ〜約５００ＩＵの範囲であり；ビタミンＣの濃度は、約１０ミリグラム〜約２５，０００ミリグラムの範囲、そして好ましくは約２０ミリグラム〜約２０００ミリグラムの範囲であり；ビタミンＢ−３の濃度は、約０．２５ミリグラム〜約１２０ミリグラムの範囲、そして好ましくは約２ミリグラム〜約５０ミリグラムの範囲であり；ビタミンＢ−６の濃度は、約０．２０ミリグラム〜約５０ミリグラムの範囲、そして好ましくは約０．５ミリグラム〜約１０ミリグラムの範囲であり；ビタミンＢ−１の濃度は、約０．１６ミリグラム〜約１６０ミリグラムの範囲、そして好ましくは約０．３ミリグラム〜約５ミリグラムの範囲であり；ビタミンＢ−２の濃度は、約０．１５ミリグラム〜約２０ミリグラムの範囲、そして好ましくは約０．５ミリグラム〜約８ミリグラムの範囲であり；ビタミンＢ−１２の濃度は、約６マイクログラム〜約１２００マイクログラムの範囲、そして好ましくは約１０マイクログラム〜約３６０マイクログラムの範囲であり；ビタミンＫの濃度は、約３マイクログラム〜約６００マイクログラムの範囲、そして好ましくは約７マイクログラム〜約１２０マイクログラムの範囲であり；ならびに、パントテン酸の濃度は、約０．１ミリグラム〜約１５０ミリグラムの範囲、そして好ましくは約３ミリグラム〜約４０ミリグラムの範囲である、組成物。
【請求項８７】  前記治療組成物が以下：カルシウム、マグネシウム、リン、亜鉛、マンガン、銅、カリウム、アンチモン、バリウム、ベリリウム、ビスマス、ホウ素、臭素、クロム、コバルト、ゲルマニウム、金、ヨウ素、鉄、リチウム、ニッケル、パラジウム、白金、セレン、ケイ素、銀、ストロンチウム、スズ、チタン、タングステン、バナジウムおよびジルコニウムを含む群より選択される１つ以上のミネラルをさらに含む、請求項７７〜８６のいずれか１項に記載の組成物。
【請求項８８】  前記治療組成物が、以下の濃度範囲で、１つ以上のミネラルをさらに含む、請求項７７または８７に記載の組成物であって、ここで：カルシウムの濃度は、約１０ミリグラム〜約２５，０００ミリグラムの範囲、そして好ましくは約２５０ミリグラム〜約３０００ミリグラムの範囲；マグネシウムの濃度は、約１５ミリグラム〜約４０００ミリグラムの範囲、そして好ましくは約１００ミリグラム〜約７５０ミリグラムの範囲であり；リンの濃度は、約５０ミリグラム〜約５０００ミリグラムの範囲、そして好ましくは約１００ミリグラム〜約１０００ミリグラムの範囲であり；亜鉛の濃度は、約３ミリグラム〜約１００ミリグラムの範囲、そして好ましくは約５ミリグラム〜約６０ミリグラムの範囲であり；マンガンの濃度は、約０．５ミリグラム〜約５０ミリグラムの範囲、そして好ましくは約１ミリグラム〜約１５ミリグラムの範囲であり；銅の濃度は、約０．１ミリグラム〜約２０ミリグラムの範囲、そして好ましくは約０．５ミリグラム〜約５ミリグラムの範囲であり；カリウムの濃度は、約０．１ミリグラム〜約１００ミリグラムの範囲、そして好ましくは約２ミリグラム〜約２５ミリグラムの範囲であり；アンチモンの濃度は、約０．６マイクログラム〜約６００マイクログラムの範囲、そして好ましくは約１マイクログラム〜約１８マイクログラムの範囲であり；バリウムの濃度は、約０．０６マイクログラム〜約６０マイクログラムの範囲、そして好ましくは約１マイクログラム〜マイクログラム〜約６マイクログラムの範囲であり；ベリリウムの濃度は、約０．００７マイクログラム〜約７マイクログラムの範囲、そして好ましくは約０．００１マイクログラム〜約０．２１マイクログラムの範囲であり；ビスマスの濃度は、約０．０１５マイクログラム〜約１５０マイクログラムの範囲、そして好ましくは約０．０５マイクログラム〜約０．４５マイクログラムの範囲であり；ホウ素の濃度は、約０．１マイクログラム〜約１００マイクログラムの範囲、そして好ましくは約１マイクログラム〜約３０マイクログラムの範囲であり；臭素の濃度は、約０．２マイクログラム〜約２００マイクログラムの範囲、そして好ましくは約０．５マイクログラム〜約８マイクログラムの範囲であり；クロムの濃度は、約０．１マイクログラム〜約１０００マイクログラムの範囲、そして好ましくは約２５マイクログラム〜約３００マイクログラムの範囲であり；コバルトの濃度は、約０．１マイクログラム〜約１００マイクログラムの範囲、そして好ましくは約０．２５マイクログラム〜約５マイクログラムの範囲であり；ゲルマニウムの濃度は、約１０マイクログラム〜約５０００マイクログラムの範囲、そして好ましくは約１００マイクログラム〜約１０００マイクログラムの範囲であり；金の濃度は、約０．０１５マイクログラム〜約１５０マイクログラムの範囲、そして好ましくは約０．０５マイクログラム〜約１５マイクログラムの範囲であり；ヨウ素の濃度は、約１０マイクログラム〜約２５００マイクログラムの範囲、そして好ましくは約５０マイクログラム〜約７５０マイクログラムの範囲であり；鉄の濃度は、約１２マイクログラム〜約２５００マイクログラムの範囲、そして好まし���は約５０マイクログラム〜約５００マイクログラムの範囲であり；リチウムの濃度は、約０．３マイクログラム〜約３００マイクログラムの範囲、そして好ましくは約０．５マイクログラム〜約１５マイクログラムの範囲であり；ニッケルの濃度は、約０．０７マイクログラム〜約７０マイクログラムの範囲、そして好ましくは約０．１マイクログラム〜約５０マイクログラムの範囲であり；パラジウムの濃度は、約０．０７マイクログラム〜約２５０マイクログラムの範囲、そして好ましくは約０．２マイクログラム〜約１５０マイクログラムの範囲であり；白金の濃度は、約０．０１５マイクログラム〜約１５０マイクログラムの範囲、そして好ましくは約０．０５マイクログラム〜約１５マイクログラムの範囲であり；セレンの濃度は、約０．３マイクログラム〜約３００マイクログラムの範囲、そして好ましくは約０．５マイクログラム〜約１５マイクログラムの範囲であり；ケイ素の濃度は、約６マイクログラム〜約１２００マイクログラムの範囲、そして好ましくは約１０マイクログラム〜約３５０マイクログラムの範囲であり；銀の濃度は、約５マイクログラム〜約１０００マイクログラムの範囲、そして好ましくは約１５マイクログラム〜約２５０マイクログラムの範囲であり；ストロンチウムの濃度は、約０．４マイクログラム〜約４００マイクログラムの範囲、そして好ましくは約１マイクログラム〜約１５マイクログラムの範囲であり；スズの濃度は、約０．０７マイクログラム〜約３５０マイクログラムの範囲、そして好ましくは約０．１マイクログラム〜約５マイクログラムの範囲であり；チタンの濃度は、約０．３マイクログラム〜約３００マイクログラムの範囲、そして好ましくは約１マイクログラム〜約２０マイクログラムの範囲であり；タングステンの濃度は、約０．０７マイクログラム〜約１００マイクログラムの範囲、そして好ましくは約０．２５マイクログラム〜約２０マイクログラムの範囲であり；バナジウムの濃度は、約０．５マイクログラム〜約５００マイクログラムの範囲、そして好ましくは約１マイクログラム〜約５０マイクログラム：ならびに、ジルコニウムの濃度は、約０．１マイクログラム〜約１００マイクログラムの範囲、そして好ましくは約０．２５マイクログラム〜約２０マイクログラムの範囲である、組成物。
【請求項８９】  前記治療組成物が、抗生物質、抗真菌剤、抗ウイルス剤、および抗酵母剤を含む群より選択される抗菌剤をさらに含む、請求項７７〜８８のいずれか１項に記載の組成物。
【請求項９０】  乳糖不耐症を罹患する動物の胃腸管内において栄養材料の溶解度およびバイオアベイラビリティーを増大するための組成物であって、該組成物は、脊椎動物の胃腸管への投与のために適切な薬学的に受容可能なキャリア内にある、治療的に有効な濃度の、１つ以上の非病原性乳酸産生細菌Ｂａｃｉｌｌｕｓ  ｃｏａｇｕｌａｎｓ株の培養物由来の細胞外上清、および補助的なラクターゼを含み；ここで、該Ｂａｃｉｌｌｕｓ  ｃｏａｇｕｌａｎｓ細菌株が、以下：Ｂａｃｉｌｌｕｓ  ｃｏａｇｕｌａｎｓ；Ｂａｃｉｌｌｕｓ  ｃｏａｇｕｌａｎｓ  Ｈａｍｍｅｒ；およびＢａｃｉｌｌｕｓ  ｂｒｅｖｉｓ亜種ｃｏａｇｕｌａｎｓ、ならびにそれらの任意の遺伝的変異体を含む群より選択される、組成物。
【請求項９１】  乳糖不耐症を罹患する動物の胃腸管内においてビタミンおよびミネラルの溶解度およびバイオアベイラビリティーを増大するための組成物であって、該組成物は、脊椎動物の胃腸管への経口投与のために適切な薬学的に受容可能なキャリア内にある、、治療的に有効な濃度の、１つ以上のＢａｃｉｌｌｕｓ  ｃｏａｇｕｌａｎｓ細菌種またはＢａｃｉｌｌｕｓ  ｃｏａｇｕｌａｎｓ細菌株、および補助的なラクターゼを含み、ここで該Ｂａｃｉｌｌｕｓ  ｃｏａｇｕｌａｎｓ細菌株が、約３０℃〜約６５℃の温度で増殖し得、Ｌ（＋）右旋性乳酸を産生し、約９０℃までの温度に対して芽胞耐性を生じ、そして動物の胃腸管内において栄養材料の溶解度およびバイオアベイラビリティーを増大する共生活性を示す、組成物。
【請求項９２】  前記共生活性が、Ｂａｃｉｌｌｕｓ  ｃｏａｇｕｌａｎｓ細菌種またはＢａｃｉｌｌｕｓ  ｃｏａｇｕｌａｎｓ細菌株の栄養性増殖から生じる、請求項９１に記載の組成物。
【請求項９３】  前記共生活性が、単離されたＢａｃｉｌｌｕｓ  ｃｏａｇｕｌａｎｓ細菌種またはＢａｃｉｌｌｕｓ  ｃｏａｇｕｌａｎｓ細菌株によって産生された細胞外産物から生じる、請求項９１に記載の組成物。
【請求項９４】  乳糖不耐症を罹患する動物の胃腸管内において栄養材料の溶解度およびバイオアベイラビリティーを増大するための方法において使用するための医薬の調製における、１つ以上のＢａｃｉｌｌｕｓ  ｃｏａｇｕｌａｎｓ細菌株の使用であって、該１つ以上のＢａｃｉｌｌｕｓ  ｃｏａｇｕｌａｎｓ細菌株は、非病原性かつ乳酸産生性であり、そして、Ｂａｃｉｌｌｕｓ  ｃｏａｇｕｌａｎｓ、Ｂａｃｉｌｌｕｓ  ｃｏａｇｕｌａｎｓ  Ｈａｍｍｅｒ、Ｂａｃｉｌｌｕｓ  ｂｒｅｖｉｓ亜種ｃｏａｇｕｌａｎｓ、およびそれらの任意の遺伝的変異体からなる群より選択され、そして、該医薬は、補助的なラクターゼと共に投与するために処方される、使用。
【請求項９５】  乳糖不耐症を罹患する動物の胃腸管内において栄養材料の溶解度およびバイオアベイラビリティーを増大するための方法において使用するための医薬の調製における、１つ以上のＢａｃｉｌｌｕｓ  ｃｏａｇｕｌａｎｓ株の使用であって、該１つ以上のＢａｃｉｌｌｕｓ  ｃｏａｇｕｌａｎｓ株は、約３０℃〜約６５℃の温度で増殖し得、Ｌ（＋）右旋性乳酸を産生し、約９０℃までの温度に対して芽胞耐性を生じ、そして動物の胃腸管内において栄養材料の溶解度およびバイオアベイラビリティーを増大する共生活性を示し、そして、該医薬は、補助的なラクターゼと共に投与するために処方される、使用。
【請求項９６】  動物の胃腸管内において栄養材料の溶解度およびバイオアベイラビリティーを増大するための組成物であって、該組成物は、動物の胃腸管への投与のために適切な薬学的に受容可能なキャリア内にある、治療的に有効な濃度の、１つ以上の非病原性乳酸産生細菌Ｂａｃｉｌｌｕｓ  ｃｏａｇｕｌａｎｓ株またはその任意の遺伝的変異体、および補助的なラクターゼを含み、ここで、該Ｂａｃｉｌｌｕｓ  ｃｏａｇｕｌａｎｓ株は、該動物の胃腸管において栄養材料の溶解度およびバイオアベイラビリティーを増大する、組成物。